(57)【要約】【課題】表示装置の近くにいるユーザが端末装置に入力した用語や、当該ユーザの属性に適合する適切な広告を、自動的に表示することができなかった。【解決手段】ユーザに関する情報であるユーザ関連情報を送信する端末装置と、広告情報が格納されており、受信したユーザ関連情報に対応する広告情報を取得し、当該広告情報を、表示装置識別子により識別される識別される表示装置に送信するサーバ装置と、受信した広告情報を出力する表示装置とを備える広告表示システムを構成するサーバ装置により、表示装置の近くにいるユーザが端末装置に入力した用語や、当該ユーザの属性に適合する適切な広告を、自動的に表示することができる。【選択図】図１
2014153679.tif 000002
【特許請求の範囲】
【請求項１】
端末装置とサーバ装置と１以上の表示装置とを備える広告表示システムを構成するサーバ装置あって、
前記端末装置は、
ユーザに関する情報であるユーザ関連情報が格納されるユーザ関連情報格納部と、
前記ユーザ関連情報を送信する端末送信部とを備え、
前記サーバ装置は、
広告を示す広告情報と、当該広告情報を取得するための条件である取得条件とを有する１以上の広告管理情報が格納される広告管理情報格納部と、
前記広告情報の送信先である表示装置を識別する情報である１以上の送信先識別子が格納される送信先識別子格納部と、
ユーザ関連情報を受信するサーバ受信部と、
前記サーバ受信部が受信したユーザ関連情報が、前記１以上の広告管理情報が有する取得条件のいずれに合致するか否かを判断し、合致すると判断した取得条件に対応する広告情報を、前記広告管理情報格納部から取得する広告情報取得部と、
予め決められた条件を満たすほど前記端末装置の近くに存在する表示装置を識別する送信先識別子を、前記送信先識別子格納部から取得する送信先識別子取得部と、
前記広告情報取得部が取得した広告情報を、前記送信先識別子取得部が取得した送信先識別子により識別される表示装置に送信するサーバ送信部とを備え、
前記表示装置は、
広告情報を、前記サーバ装置から受信する受信部と、
前記受信部が受信した広告情報を出力する出力部とを備える広告表示システムを構成するサーバ装置。
【請求項２】
前記送信先識別子格納部には、
表示装置の位置を示す表示装置位置情報が対応付いた送信先識別子が格納されており、
前記端末装置は、
端末装置の現在位置を示す端末位置情報を取得する端末位置情報取得部をさらに備え、
前記端末送信部は、
前記ユーザ関連情報と、前記端末位置情報取得部が取得した端末位置情報とを送信し、
前記サーバ受信部は、
ユーザ関連情報と、端末位置情報とを受信し、
前記送信先識別子取得部は、
前記サーバ受信部が受信した端末位置情報と、前記送信先識別子に対応付いている表示装置位置情報とを用いて、予め決められた条件を満たすほど前記端末装置の近くに存在する表示装置を識別する送信先識別子を、前記送信先識別子格納部から取得する請求項１記載の広告表示システムを構成するサーバ装置。
【請求項３】
前記広告表示システムは、
２以上の各ユーザが使用する２以上の端末装置を備え、
前記サーバ受信部は、
前記２以上の各ユーザに関連する２以上のユーザ関連情報、または、前記２以上の各ユーザに関連するユーザ関連情報と２以上の端末位置情報とを受信し、
前記広告情報取得部は、
前記サーバ受信部が受信した２以上の各ユーザ関連情報が、前記１以上の広告管理情報が有する取得条件のいずれに合致するか否かを、前記サーバ受信部がユーザ関連情報を受信するたびに判断し、合致すると判断した取得条件に対応する広告情報を、前記広告管理情報格納部から取得する請求項１または請求項２記載の広告表示システムを構成するサーバ装置。
【請求項４】
前記サーバ装置は、
２以上のユーザ関連情報が格納される受信ユーザ関連情報格納部と、
前記サーバ受信部が受信したユーザ関連情報を、前記受信ユーザ関連情報格納部に蓄積する受信ユーザ関連情報蓄積部とをさらに備え、
前記広告情報取得部は、
前記受信ユーザ関連情報格納部に格納されている２以上のユーザ関連情報のうちのいずれかが、前記１以上の広告管理情報が有する取得条件のいずれに合致するか否かを判断し、合致すると判断した取得条件に対応する広告情報を、前記広告管理情報格納部から取得する請求項３記載の広告表示システムを構成するサーバ装置。
【請求項５】
前記広告情報取得部は、
前記受信ユーザ関連情報格納部に格納されている２以上のユーザ関連情報のうち、最後に蓄積された１つのユーザ関連情報が、前記１以上の広告管理情報が有する取得条件のいずれに合致するか否かを判断し、合致すると判断した取得条件に対応する広告情報を、前記広告管理情報格納部から取得する請求項４記載の広告表示システムを構成するサーバ装置。
【請求項６】
前記広告情報には、当該広告情報が示す広告に関連する位置を特定することが可能な位置特定情報が対応付いており、
前記表示装置は、
前記受信部が受信した広告情報に対応付いている位置特定情報を、前記端末装置に送信する送信部をさらに備え、
前記端末装置は、
位置特定情報を受信する端末受信部と、
前記端末受信部が受信した位置特定情報を用いて、前記端末装置の現在位置から当該位置特定情報により特定される位置までの経路を探索し、当該経路を示す経路情報を取得する経路探索部と、
前記経路探索部が取得した経路情報を出力する端末出力部とをさらに備える請求項１から請求項５いずれか一項に記載の広告表示システムを構成するサーバ装置。
【請求項７】
前記表示装置は、
当該表示装置を識別する表示装置識別子が格納される表示装置識別子格納部をさらに備え、
前記端末送信部は、
前記ユーザ関連情報を、前記表示装置に送信し、
前記受信部は、
ユーザ関連情報を、前記端末装置から受信し、広告情報を、前記サーバ装置から受信し、
前記送信部は、
前記受信部が受信したユーザ関連情報と前記表示装置識別子とを、前記サーバ装置に送信し、
前記サーバ受信部は、
ユーザ関連情報と表示装置識別子とを、前記表示装置から受信し、
前記サーバ装置は、
前記サーバ受信部が受信した表示装置識別子である送信先識別子を前記送信先識別子格納部に蓄積する送信先識別子蓄積部をさらに備える請求項１から請求項６いずれか一項に記載の広告表示システムを構成するサーバ装置。
【請求項８】
前記送信先識別子格納部には、
表示装置の位置を示す表示装置位置情報が対応付いた送信先識別子が格納されており、
前記端末送信部は、
前記ユーザ関連情報と前記端末位置情報とを、前記サーバ装置に送信し、
前記サーバ受信部は、
ユーザ関連情報と端末位置情報とを、前記端末装置から受信し、
前記送信先識別子取得部は、
前記サーバ受信部が受信した端末位置情報と、前記送信先識別子に対応付いている表示装置位置情報とを用いて、予め決められた条件を満たすほど前記端末装置の近くに存在する表示装置を識別する送信先識別子を、前記送信先識別子格納部から取得する請求項２から請求項６いずれか一項に記載の広告表示システムを構成するサーバ装置。
【請求項９】
前記ユーザ関連情報は、ユーザが入力した１以上の用語である請求項１から請求項８いずれか一項に記載の広告表示システムを構成するサーバ装置。
【請求項１０】
前記ユーザ関連情報は、ユーザの属性を示す１以上のユーザ属性情報である請求項１から請求項８いずれか一項に記載の広告表示システムを構成するサーバ装置。
【請求項１１】
広告を示す広告情報と、当該広告情報を取得するための条件である取得条件とを有する１以上の広告管理情報が格納される広告管理情報格納部と、
受信部と、広告情報取得部と、出力部とを用いて行われる広告表示方法であって、
前記受信部が、
ユーザに関する情報であるユーザ関連情報を受信する受信ステップと、
前記広告情報取得部が、
前記受信部が受信したユーザ関連情報が、前記１以上の広告管理情報が有する取得条件のいずれに合致するか否かを判断し、合致すると判断した取得条件に対応する広告情報を、前記広告管理情報格納部から取得する広告情報取得ステップと、
前記出力部が、
前記広告情報取得部が取得した広告情報を出力する出力ステップとを備える広告表示方法。
【請求項１２】
広告を示す広告情報と、当該広告情報を取得するための条件である取得条件とを有する１以上の広告管理情報が格納される広告管理情報格納部にアクセス可能なコンピュータを、
ユーザに関する情報であるユーザ関連情報を受信する受信部と、
前記受信部が受信したユーザ関連情報が、前記１以上の広告管理情報が有する取得条件のいずれに合致するか否かを判断し、合致すると判断した取得条件に対応する広告情報を、前記広告管理情報格納部から取得する広告情報取得部と、
前記広告情報取得部が取得した広告情報を出力する出力部として機能させるためのプログラム。
【発明の詳細な説明】
【技術分野】
【０００１】
本発明は、ディスプレイに表示するための広告を送信するサーバ装置等に関するものである。
【背景技術】
【０００２】
従来、いわゆるデジタルサイネージ向けのディスプレイ等が開発されている（非特許文献１参照）。
【先行技術文献】
【非特許文献】
【０００３】
【非特許文献１】“デジタルサイネージモデル：ディスプレイ”、［online］、ＮＥＣディスプレイソリューションズ株式会社、［２０１３年１月２２日検索］、インターネット［URL；http://www.nec-display.com/jp/display/digitalsignage/index.html］
【発明の概要】
【発明が解決しようとする課題】
【０００４】
従来のデジタルサイネージ向けのディスプレイ等では、当該装置の近くにいるユーザが端末装置に入力した用語や、当該ユーザの属性に適合する適切な広告を、自動的に表示することができなかった。
【課題を解決するための手段】
【０００５】
本第一の発明のサーバ装置は、端末装置とサーバ装置と１以上の表示装置とを備える広告表示システムを構成するサーバ装置あって、端末装置は、ユーザに関する情報であるユーザ関連情報が格納されるユーザ関連情報格納部と、ユーザ関連情報を送信する端末送信部とを備え、サーバ装置は、広告を示す広告情報と、広告情報を取得するための条件である取得条件とを有する１以上の広告管理情報が格納される広告管理情報格納部と、広告情報の送信先である表示装置を識別する情報である１以上の送信先識別子が格納される送信先識別子格納部と、ユーザ関連情報を受信するサーバ受信部と、サーバ受信部が受信したユーザ関連情報が、１以上の広告管理情報が有する取得条件のいずれに合致するか否かを判断し、合致すると判断した取得条件に対応する広告情報を、広告管理情報格納部から取得する広告情報取得部と、予め決められた条件を満たすほど端末装置の近くに存在する表示装置を識別する送信先識別子を、送信先識別子格納部から取得する送信先識別子取得部と、広告情報取得部が取得した広告情報を、送信先識別子取得部が取得した送信先識別子により識別される表示装置に送信するサーバ送信部とを備え、表示装置は、広告情報を、サーバ装置から受信する受信部と、受信部が受信した広告情報を出力する出力部とを備える広告表示システムを構成するサーバ装置である。
【０００６】
このような構成により、表示装置の近くにいるユーザが端末装置に入力した用語や、当該ユーザの属性に適合する適切な広告を、自動的に表示することができる。
【０００７】
また、本第二の発明のサーバ装置は、第一の発明に対して、送信先識別子格納部には、表示装置の位置を示す表示装置位置情報が対応付いた送信先識別子が格納されており、端末装置は、端末装置の現在位置を示す端末位置情報を取得する端末位置情報取得部をさらに備え、端末送信部は、ユーザ関連情報と、端末位置情報取得部が取得した端末位置情報とを送信し、サーバ受信部は、ユーザ関連情報と、端末位置情報とを受信し、送信先識別子取得部は、サーバ受信部が受信した端末位置情報と、送信先識別子に対応付いている表示装置位置情報とを用いて、予め決められた条件を満たすほど端末装置の近くに存在する表示装置を識別する送信先識別子を、送信先識別子格納部から取得する広告表示システムを構成するサーバ装置である。
【０００８】
このような構成により、表示装置の近くにいるユーザが端末装置に入力した用語や、当該ユーザの属性に適合する適切な広告を、自動的に表示することができる。
【０００９】
また、本第三の発明のサーバ装置は、第一または第二の発明に対して、広告表示システムは、２以上の各ユーザが使用する２以上の端末装置を備え、サーバ受信部は、２以上の各ユーザに関連する２以上のユーザ関連情報、または、２以上の各ユーザに関連するユーザ関連情報と２以上の端末位置情報とを受信し、広告情報取得部は、サーバ受信部が受信した２以上の各ユーザ関連情報が、１以上の広告管理情報が有する取得条件のいずれに合致するか否かを、サーバ受信部がユーザ関連情報を受信するたびに判断し、合致すると判断した取得条件に対応する広告情報を、広告管理情報格納部から取得する広告表示システムを構成するサーバ装置である。
【００１０】
このような構成により、表示装置の近くにいる２以上のユーザが端末装置に入力した用語や、当該２以上のユーザの属性に合致する適切な広告を、順次、自動的に表示することができる。
【００１１】
また、本第四の発明のサーバ装置は、第三の発明に対して、サーバ装置は、２以上のユーザ関連情報が格納される受信ユーザ関連情報格納部と、サーバ受信部が受信したユーザ関連情報を、受信ユーザ関連情報格納部に蓄積する受信ユーザ関連情報蓄積部とをさらに備え、広告情報取得部は、受信ユーザ関連情報格納部に格納されている２以上のユーザ関連情報のうちのいずれかが、１以上の広告管理情報が有する取得条件のいずれに合致するか否かを判断し、合致すると判断した取得条件に対応する広告情報を、広告管理情報格納部から取得する広告表示システムを構成するサーバ装置である。
【００１２】
このような構成により、表示装置の近くにいる２以上のユーザのうちの１人のユーザが端末装置に入力した用語や、当該ユーザの属性に合致する最適な広告を、自動的に表示することができる。
【００１３】
また、本第五の発明のサーバ装置は、第四の発明に対して、広告情報取得部は、受信ユーザ関連情報格納部に格納されている２以上のユーザ関連情報のうち、最後に蓄積された１つのユーザ関連情報が、１以上の広告管理情報が有する取得条件のいずれに合致するか否かを判断し、合致すると判断した取得条件に対応する広告情報を、広告管理情報格納部から取得する広告表示システムを構成するサーバ装置である。
【００１４】
このような構成により、表示装置の近くにいる２以上のユーザのうちの最後の１人のユーザが端末装置に入力した用語や、当該ユーザの属性に合致する最適な広告を、自動的に表示することができる。
【００１５】
また、本第六の発明のサーバ装置は、第一から第五いずれか１つの発明に対して、広告情報には、広告情報が示す広告に関連する位置を特定することが可能な位置特定情報が対応付いており、表示装置は、受信部が受信した広告情報に対応付いている位置特定情報を、端末装置に送信する送信部をさらに備え、端末装置は、位置特定情報を受信する端末受信部と、端末受信部が受信した位置特定情報を用いて、端末装置の現在位置から位置特定情報により特定される位置までの経路を探索し、経路を示す経路情報を取得する経路探索部と、経路探索部が取得した経路情報を出力する端末出力部とをさらに備える広告表示システムを構成するサーバ装置である。
【００１６】
このような構成により、表示装置に表示されている広告に関連する位置までの経路案内を行うことができる。
【００１７】
また、本第七の発明のサーバ装置は、第一から第六いずれか１つの発明に対して、表示装置は、表示装置を識別する表示装置識別子が格納される表示装置識別子格納部をさらに備え、端末送信部は、ユーザ関連情報を、表示装置に送信し、受信部は、ユーザ関連情報を、端末装置から受信し、広告情報を、サーバ装置から受信し、送信部は、受信部が受信したユーザ関連情報と表示装置識別子とを、サーバ装置に送信し、サーバ受信部は、ユーザ関連情報と表示装置識別子とを、表示装置から受信し、サーバ装置は、サーバ受信部が受信した表示装置識別子である送信先識別子を送信先識別子格納部に蓄積する送信先識別子蓄積部をさらに備える広告表示システムを構成するサーバ装置である。
【００１８】
このような構成により、表示装置の近くにいるユーザの属性などに合致する適切な広告を、自動的に表示することができる。
【００１９】
また、本第八の発明のサーバ装置は、第二から第六いずれか１つの発明に対して、送信先識別子格納部には、表示装置の位置を示す表示装置位置情報が対応付いた送信先識別子が格納されており、端末送信部は、ユーザ関連情報と端末位置情報とを、サーバ装置に送信し、サーバ受信部は、ユーザ関連情報と端末位置情報とを、端末装置から受信し、送信先識別子取得部は、サーバ受信部が受信した端末位置情報と、送信先識別子に対応付いている表示装置位置情報とを用いて、予め決められた条件を満たすほど端末装置の近くに存在する表示装置を識別する送信先識別子を、送信先識別子格納部から取得する広告表示システムを構成するサーバ装置である。
【００２０】
このような構成により、表示装置の近くにいるユーザの属性などに合致する適切な広告を、自動的に表示することができる。
【００２１】
また、本第九の発明のサーバ装置は、第一から第八いずれか１つの発明に対して、ユーザ関連情報は、ユーザが入力した１以上の用語である広告表示システムを構成するサーバ装置である。
【００２２】
このような構成により、表示装置の近くにいるユーザが過去に入力した１以上の用語に合致する適切な広告を、自動的に表示することができる。
【００２３】
また、本第十の発明のサーバ装置は、第一から第八いずれか１つの発明に対して、ユーザ関連情報は、ユーザの属性を示す１以上のユーザ属性情報である広告表示システムを構成するサーバ装置である。
【００２４】
このような構成により、表示装置の近くにいるユーザの属性に合致する適切な広告を、自動的に表示することができる。
【発明の効果】
【００２５】
本発明によるサーバ装置等によれば、表示装置の近くにいるユーザが端末装置に入力した用語や、当該ユーザの属性に適合する適切な広告を、自動的に表示することができる。
【図面の簡単な説明】
【００２６】
【図１】実施の形態１における広告表示システム１の概念図
【図２】同端末装置１１、サーバ装置１２、表示装置１３のブロック図
【図３】同端末装置１１の全体動作について説明するフローチャート
【図４】同サーバ装置１２の全体動作について説明するフローチャート
【図５】同広告情報の取得処理について説明するフローチャート
【図６】同送信先識別子の取得処理について説明するフローチャート
【図７】同表示装置１３の全体動作について説明するフローチャート
【図８】同広告管理情報の例を示す図
【図９】同送信先識別子の例を示す図
【図１０】同ユーザ関連情報の例を示す図
【図１１】同広告情報の出力例を示す図
【図１２】同経路情報の出力例を示す図
【図１３】実施の形態２における広告表示システム２の概念図
【図１４】同端末装置２１の全体動作について説明するフローチャート
【図１５】同サーバ装置２２の全体動作について説明するフローチャート
【図１６】同表示装置２３の全体動作について説明するフローチャート
【図１７】実施の形態１における表示装置３３の概念図
【図１８】実施の形態２におけるサーバ装置４２、表示装置４３の概念図
【図１９】上記実施の形態におけるコンピュータシステムの概観図
【図２０】上記実施の形態におけるコンピュータシステムのブロック図
【発明を実施するための形態】
【００２７】
以下、本発明による広告表示システム等の実施形態について図面を参照して説明する。なお、実施の形態において同じ符号を付した構成要素は同様の動作を行うので、再度の説明を省略する場合がある。また、本実施の形態において説明する各情報の形式、内容などは、あくまで例示であり、各情報の持つ意味を示すことができれば、形式、内容などは問わない。
【００２８】
（実施の形態１）
本実施の形態において、端末装置１１と、サーバ装置１２と、表示装置１３とを備える広告表示システム１について説明する。端末装置１１は、表示装置１３に、ユーザ関連情報を送信する。表示装置１３は、受信したユーザ関連情報と、自身を識別する表示装置識別子とを、サーバ装置１２に送信する。サーバ装置１２は、受信したユーザ関連情報に対応する広告情報を取得する。そして、サーバ装置１２は、受信した表示装置識別子により識別される表示装置１３に、取得した広告情報を送信する。また、表示装置１３は、受信した広告情報を出力する。
【００２９】
図１は、本実施の形態における広告表示システム１の概念図である。図１において、端末装置１１と、表示装置１３とは、ネットワーク１４を介して接続されている。ネットワーク１４は、通常、いわゆるＷｉ−Ｆｉ（登録商標）や、Ｂｌｕｅｔｏｏｔｈ（登録商標）、赤外線通信、非接触通信などの、近距離（短距離）無線通信であることが好適である。また、サーバ装置１２と表示装置１３とは、ネットワーク１５を介して接続されている。ネットワーク１５は、無線または有線の通信回線であり、例えば、インターネットやイントラネット、ＬＡＮ（Ｌｏｃａｌ  Ａｒｅａ  Ｎｅｔｗｏｒｋ）、公衆電話回線網などである。また、端末装置１１は、例えば、いわゆるスマートフォンやフィーチャーフォンなどの携帯電話や、タブレット型のパソコン、ＰＤＡなどである。また、当該端末装置１１は、通常、２以上である。また、当該２以上の端末装置１１は、通常、異なるユーザ（人）が所持している。また、表示装置１３は、通常、いわゆるサイネージディスプレイである。また、表示装置１３は、通常、２以上である。
【００３０】
図２は、本実施の形態における端末装置１１、サーバ装置１２、表示装置１３のブロック図である。端末装置１１は、ユーザ関連情報格納部１１１、端末位置情報取得部１１２、端末受付部１１３、端末送信部１１４、端末受信部１１５、経路探索部１１６、端末出力部１１７を備える。また、サーバ装置１２は、広告管理情報格納部１２１、受信ユーザ関連情報格納部１２２、送信先識別子格納部１２３、サーバ受信部１２４、受信ユーザ関連情報蓄積部１２５、送信先識別子蓄積部１２６、広告情報取得部１２７、送信先識別子取得部１２８、サーバ送信部１２９を備える。また、表示装置１３は、表示装置識別子格納部１３１、受信部１３２、出力部１３３、送信部１３４を備える。
【００３１】
ユーザ関連情報格納部１１１には、１以上のユーザ関連情報が格納される。ユーザ関連情報とは、ユーザに関する情報である。ユーザ関連情報は、例えば、端末装置１１に入力された情報である入力情報や、ユーザの属性を示す情報であるユーザ属性情報などである。
【００３２】
入力情報は、通常、ユーザが端末装置１１に入力した情報（以下、適宜、ユーザ入力情報）である。また、入力情報は、例えば、端末装置１１が自動的に取得した情報（以下、適宜、自動取得情報）であってもよい。ユーザ入力情報は、例えば、ユーザが特定のアプリケーションソフトウェアにおいて入力した情報である。当該特定のアプリケーションソフトウェアとは、例えば、ナビゲーション用のソフトウェアや、いわゆる検索エンジンなどである。ユーザ入力情報は、例えば、入力情報は、例えば、地名や、駅名、店名、食べ物などの任意の用語（キーワード）などである。また、自動取得情報は、通常、位置を示す位置情報である。当該位置は、通常、経緯度である。また、当該位置は、例えば、高さ（高度）を含んでもよい。また、当該位置情報は、通常、後述の端末位置情報取得部１１２が取得する端末位置情報である。
【００３３】
また、ユーザ属性情報は、例えば、ユーザの性別や、年齢、年齢層、趣味、嗜好などを示す情報である。
【００３４】
以上より、ユーザ関連情報は、通常、１種類以上の情報である。なお、ユーザ関連情報は、ユーザに関する情報であれば、形式や内容などは、問わない。
【００３５】
端末位置情報取得部１１２は、端末位置情報を取得する。端末位置情報とは、端末装置１１の現在位置を示す位置情報である。位置情報が示す位置は、通常、経緯度である。また、当該位置は、高度を含んでもよい。また、端末位置情報取得部１１２は、通常、定期的に端末位置情報を取得する。また、端末位置情報取得部１１２が取得した端末位置情報は、例えば、ユーザ関連情報格納部１１１に蓄積されてもよい。また、端末位置情報取得部１１２は、通常、衛星航法システム（ＧＰＳ受信機など）や、移動体通信用の基地局から位置情報を受信する装置などから、端末位置情報を取得する。この場合、端末位置情報取得部１１２は、これらの装置を有していてもよいし、これらの装置で実現され得てもよい。また、端末位置情報取得部１１２の処理手順は、通常、ソフトウェアで実現され、当該ソフトウェアはＲＯＭ等の記録媒体に記録されている。
【００３６】
端末受付部１１３は、ユーザ関連情報を受け付ける。受け付けとは、タッチパネルや、キーボードなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。また、端末受付部１１３が受け付けたユーザ関連情報は、通常、ユーザ関連情報格納部１１１に蓄積される。
【００３７】
また、端末受付部１１３は、例えば、ユーザ関連情報を送信する指示であるユーザ関連情報送信指示や、電源ＯＮの指示、電源ＯＦＦの指示などを受け付けてもよい。ユーザ関連情報送信指示を受け付けた場合、後述の端末送信部１１４は、ユーザ関連情報を送信する。また、電源ＯＮの指示、電源ＯＦＦの指示などを受け付けた場合、端末装置１１は、通常、当該受け付けた指示に応じた予め決められた処理を行う。
【００３８】
端末受付部１１３における情報や指示などの入力手段は、メニュー画面によるものや、キーボードなど、何でもよい。端末受付部１１３は、メニュー画面の制御ソフトウェアや、キーボード等の入力手段のデバイスドライバなどで実現され得る。
【００３９】
端末送信部１１４は、ユーザ関連情報を送信する。当該ユーザ関連情報は、ユーザ関連情報格納部１１１に格納されている１以上のユーザ関連情報である。また、端末送信部１１４は、例えば、ユーザ関連情報と端末位置情報とを送信してもよい。当該端末位置情報は、端末位置情報取得部１１２が取得した端末位置情報である。また、この場合、端末送信部１１４は、通常、ユーザ関連情報と端末位置情報とを対応付けて送信する。また、この場合、ユーザ関連情報と端末位置情報とが対応付いていればよく、端末送信部１１４は、ユーザ関連情報と端末位置情報とを、同時に送信してもよいし、別々に送信してもよい。また、本実施の形態において、端末送信部１１４は、通常、表示装置１３に、ユーザ関連情報、またはユーザ関連情報と端末位置情報とを送信する。
【００４０】
また、端末送信部１１４は、例えば、当該１以上のユーザ関連情報から予め決められた条件に合致する１以上のユーザ関連情報を取得し、当該取得したユーザ関連情報を送信してもよい。当該予め決められた条件とは、例えば、予め決められた数の入力情報であることや、ユーザ属性情報のみであること、予め決められた数以下の入力情報とユーザ属性情報であることなどである。また、当該ユーザ関連情報の取得は、通常、図示しない端末ユーザ関連情報取得部が行う。
【００４１】
端末受信部１１５は、位置特定情報を受信する。位置特定情報とは、位置を特定することが可能な情報である。「位置を特定することが可能である」とは、位置を直接的または間接的に特定することが可能であることを意味する。位置を直接的に特定することが可能な位置特定情報は、通常、位置情報である。また、位置を間接的に特定することが可能な位置特定情報は、通常、住所や、郵便番号、店名などを示す情報である。
【００４２】
また、端末受信部１１５は、例えば、後述の表示装置１３が出力している広告情報の一部を読み取ることにより位置特定情報を取得してもよい。当該広告情報の一部とは、例えば、いわゆる二次元コードである。
【００４３】
経路探索部１１６は、端末装置１１の現在位置から位置特定情報により特定される位置までの経路を探索する。そして、経路探索部１１６は、当該経路を示す経路情報を取得する。当該位置特定情報は、端末受信部１１５が受信した位置特定情報である。また、当該端末装置１１の現在位置は、端末位置情報取得部１１２が取得した端末位置情報により示される。
【００４４】
まず、経路探索部１１６は、位置特定情報を用いて位置情報を取得する。当該位置特定情報が位置情報である場合、経路探索部１１６は、当該位置特定情報を位置情報として取得する。また、当該位置特定情報が位置情報以外である場合、経路探索部１１６は、当該位置特定情報により特定される位置を示す位置情報を取得する。「位置特定情報により特定される位置を示す位置情報を取得する」とは、当該位置特定情報に対応する位置情報を取得することである。なお、住所、郵便番号、店名などを示す位置特定情報に対応する位置情報を取得する方法や手順などは、公知であるので、説明を省略する。
【００４５】
そして、経路探索部１１６は、例えば、端末位置情報と取得した位置情報とを地図情報に適用し、当該端末位置情報が示す位置から取得した位置情報が示す位置までの経路を探索する。端末位置情報を地図情報に適用するとは、当該端末位置情報が示す位置を出発地とすることである。また、取得した位置情報を地図情報に適用するとは、当該位置情報を目的地とすることである。そして、経路探索部１１６は、当該探索した経路を示す経路情報を、当該地図情報から取得する。
【００４６】
なお、経路探索は、公知の技術であるので、詳細な説明を省略する。また、地図情報が示す地図の種類は、問わない。また、地図情報は、例えば、カーナビゲーションで用いられるＫＩＷＩフォーマットのものや、地図の画像などである。当該画像は、例えば、ラスタデータや、ベクタデータである。また、地図情報は、通常、地図上の地点を示す地点情報や、地図上の道路を示す１以上の道路情報などを有する。地点情報は、例えば、地点の名称を示す地点名称情報や、地点の位置を示す地点位置情報などを有する。道路情報は、例えば、道路を識別する道路識別子や、道路の始点の位置を示す始点位置情報、道路の終点の位置を示す終点位置情報、道路の経由地の位置を示す経由位置情報などを有する。地点位置情報、起点位置情報、終点位置情報、経由位置情報は、位置情報である。
【００４７】
端末出力部１１７は、経路探索部１１６が取得した経路情報を出力する。出力とは、ディスプレイへの表示、プロジェクターを用いた投影、プリンタでの印字、外部の装置への送信、記録媒体への蓄積、他の処理装置や他のプログラムなどへの処理結果の引渡しなどを含む概念である。なお、送信や蓄積、処理結果の引渡しについては、出力対象が最終的にユーザに提示されるものとする。
【００４８】
広告管理情報格納部１２１には、広告情報と、取得条件とを有する１以上の広告管理情報が格納される。広告情報とは、広告を示す情報である。また、取得条件とは、広告情報を取得するための条件である。また、一の広告情報には、通常、一の取得条件が対応付いている。また、広告管理情報は、位置特定情報を有していてもよい。この場合、広告管理情報が有する一の広告情報には、通常、位置特定情報が対応付いていている。また、この場合、広告情報は、位置特定情報を有していてもよい。
【００４９】
また、広告情報の形式は、問わない。広告情報の形式は、例えば、画像や、音声、動画、映像などである。広告情報の形式は、例えば、文字（テキスト）であってもよい。
【００５０】
また、取得条件は、通常、ユーザに関する条件である。ユーザに関する情報は、ユーザ関連情報である。従って、取得条件は、具体的には、ユーザ関連情報に関する条件である。取得条件は、例えば、ユーザが端末装置１１に入力した情報が予め決められた情報であることや、ユーザの属性が予め決められた属性であることなどである。また、ユーザ関連情報である入力情報に関する条件を、以下、適宜、入力条件とする。また、ユーザ関連情報であるユーザ属性情報に関する条件を、以下、適宜、ユーザ属性条件とする。また、取得条件は、入力条件やユーザ属性条件などの組み合わせであってもよい。当該組み合わせは、通常、ＡＮＤ（論理積）またはＯＲ（論理和）である。
【００５１】
受信ユーザ関連情報格納部１２２には、２以上のユーザ関連情報が格納される。当該２以上のユーザ関連情報は、通常、２以上の異なるユーザのユーザ関連情報である。
【００５２】
送信先識別子格納部１２３には、１以上の送信先識別子が格納される。送信先識別子とは、後述のサーバ送信部１２９が広告情報を送信する送信先を識別する情報である。当該送信先は、通常、表示装置１３である。つまり、送信先識別子は、通常、表示装置１３を識別する表示装置識別子である。表示装置識別子は、通常、ＩＰアドレスや、ＭＡＣアドレスなどである。
【００５３】
また、送信先識別子格納部１２３には、例えば、１以上の送信先識別子が予め格納されていてもよいし、そうでなくてもよい。予め格納されている場合、当該１以上の各送信先識別子には、通常、表示装置位置情報が対応付いている。表示装置位置情報とは、表示装置１３の位置を示す位置情報である。また、予め格納されていない場合、当該１以上の送信先識別子は、通常、後述のサーバ受信部１２４が受信し、後述の送信先識別子蓄積部１２６により蓄積された送信先識別子である。
【００５４】
サーバ受信部１２４は、以下のいずれかの情報を、表示装置１３から受信する。
（１）ユーザ関連情報と表示装置識別子
（２）ユーザ関連情報と表示装置位置情報
（３）ユーザ関連情報と端末位置情報
上記（１）から（３）の各情報について、各情報が有する２つの情報は、通常、対応付いている。また、上記（１）から（３）の各情報について、各情報が有するユーザ関連情報は、通常、２以上のユーザに関するユーザ関連情報である。つまり、例えば、サーバ受信部１２４が、２つの上記（１）の情報を受信したとする。この場合、当該２つの各情報が有するユーザ関連情報は、通常、２人の各ユーザに関するユーザ関連情報である。
【００５５】
受信ユーザ関連情報蓄積部１２５は、ユーザ関連情報を、受信ユーザ関連情報格納部１２２に蓄積する。当該ユーザ関連情報は、通常、サーバ受信部１２４が受信したユーザ関連情報である。また、このとき、受信ユーザ関連情報蓄積部１２５は、通常、当該ユーザ関連情報に対応付いている情報と共に、ユーザ関連情報を蓄積する。当該対応付いている情報とは、例えば、端末位置情報や、表示装置位置情報である。
【００５６】
また、受信ユーザ関連情報蓄積部１２５は、例えば、蓄積時の日時を示す日時情報も対応付けて、ユーザ関連情報を蓄積してもよい。また、当該日時情報は、サーバ受信部１２４がユーザ関連情報を受信した日時を示す日時情報であってもよい。これらの場合、当該日時情報は、通常、受信ユーザ関連情報蓄積部１２５が取得する。また、日時情報の取得の方法や手順などは、公知であるので、詳細な説明を省略する。
【００５７】
送信先識別子蓄積部１２６は、表示装置識別子を、送信先識別子として送信先識別子格納部１２３に蓄積する。当該表示装置識別子は、サーバ受信部１２４が受信した表示装置識別子である。
【００５８】
また、送信先識別子蓄積部１２６は、例えば、蓄積時の日時を示す日時情報を対応付けて、送信先識別子を蓄積してもよい。また、当該日時情報は、サーバ受信部１２４がユーザ関連情報と共に表示装置識別子を受信した日時を示す日時情報であってもよい。これらの場合、当該日時情報は、通常、送信先識別子蓄積部１２６が取得する。また、日時情報の取得の方法や手順などは、公知であるので、詳細な説明を省略する。
【００５９】
なお、受信ユーザ関連情報蓄積部１２５と、送信先識別子蓄積部１２６のそれぞれが蓄積する情報の関係は、次のとおりである。例えば、サーバ受信部１２４が、ユーザ関連情報と表示装置識別子とを受信した場合は、通常、受信ユーザ関連情報蓄積部１２５が、当該ユーザ関連情報を受信ユーザ関連情報格納部１２２に蓄積し、送信先識別子蓄積部１２６が、当該表示装置識別子を送信先識別子として送信先識別子格納部１２３に蓄積する。このとき、当該ユーザ関連情報と表示装置識別子とは、通常、対応付いていることがわかる状態で蓄積される。また、例えば、サーバ受信部１２４がユーザ関連情報と表示装置位置情報とを受信した場合は、通常、受信ユーザ関連情報蓄積部１２５が、当該２つの情報を対応付けて、受信ユーザ関連情報格納部１２２に蓄積する。また、例えば、サーバ受信部１２４がユーザ関連情報と表示装置位置情報とを受信した場合は、通常、受信ユーザ関連情報蓄積部１２５が、当該２つの情報を対応付けて、受信ユーザ関連情報格納部１２２に蓄積する。
【００６０】
広告情報取得部１２７は、ユーザ関連情報に対応する広告情報を、広告管理情報格納部１２１から取得する。当該ユーザ関連情報は、通常、受信ユーザ関連情報格納部１２２に格納されているユーザ関連情報である。また、当該ユーザ関連情報は、例えば、サーバ受信部１２４が受信したユーザ関連情報であってもよい。
【００６１】
広告情報取得部１２７は、通常、受信ユーザ関連情報格納部１２２に格納されているユーザ関連情報が、１以上の広告管理情報が有する取得条件のいずれに合致するか否かを判断する。そして、広告情報取得部１２７は、合致すると判断した取得条件に対応する広告情報を、広告管理情報格納部１２１から取得する。
【００６２】
例えば、ユーザ関連情報がユーザ入力情報「姫路城」であるとする。当該ユーザ入力情報は、ユーザが端末装置１１に入力した１以上の文字（用語）である。また、取得条件が「入力＝（．＋城）」であるとする。当該取得条件は、ユーザ入力情報が「１以上の文字」＋「城」であることを意味する。この様な場合、広告情報取得部１２７は、当該ユーザ関連情報が当該取得条件に合致すると判断する。
【００６３】
また、例えば、ユーザ関連情報がユーザ属性情報「女」であるとする。当該ユーザ属性情報は、ユーザの性別が「女」であることを示す。また、取得条件が「性別＝（女）」であるとする。当該取得条件は、性別を示すユーザ属性情報が「女」であることを意味する。この様な場合、広告情報取得部１２７は、当該ユーザ関連情報が当該取得条件に合致すると判断する。
【００６４】
また、広告情報取得部１２７は、通常、予め決められたタイミングで、広告情報を取得する。当該予め決められたタイミングとは、例えば、サーバ受信部１２４がユーザ関連情報を受信するたび（受信ユーザ関連情報蓄積部１２５が当該ユーザ関連情報を受信ユーザ関連情報格納部１２２に蓄積するたび）や、定期的などである。また、広告情報取得部１２７は、通常、一のタイミングにおいて、受信ユーザ関連情報格納部１２２から１つのユーザ関連情報を取得する。そして、広告情報取得部１２７は、当該取得したユーザ関連情報を用いて、上記の判断を行い、広告情報を取得する。
【００６５】
例えば、サーバ受信部１２４がユーザ関連情報を受信するたびに広告情報を取得する場合、当該広告情報を取得するタイミングにおいて、受信ユーザ関連情報格納部１２２には、通常、１つのユーザ関連情報が格納されている。従って、この場合、広告情報取得部１２７は、通常、サーバ受信部１２４がユーザ関連情報を受信するたびに、受信ユーザ関連情報格納部１２２に格納されている１つのユーザ関連情報を取得する。また、例えば、当該広告情報を取得するタイミングにおいて受信ユーザ関連情報格納部１２２にユーザ関連情報が格納されていない場合、広告情報取得部１２７は、サーバ受信部１２４が受信したユーザ関連情報を取得してもよい。
【００６６】
また、例えば、定期的に広告情報を取得する場合、当該広告情報を取得するタイミングにおいて、受信ユーザ関連情報格納部１２２には、通常、１以上のユーザ関連情報が格納されている。従って、この場合、広告情報取得部１２７は、通常、定期的に、受信ユーザ関連情報格納部１２２に格納されている１以上のユーザ関連情報のうちのいずれか１つを取得する。これは、つまり、受信ユーザ関連情報格納部１２２から、１つずつユーザ関連情報を取得するということである。
【００６７】
また、例えば、受信ユーザ関連情報格納部１２２から１つずつユーザ関連情報を取得する場合、広告情報取得部１２７は、通常、受信ユーザ関連情報格納部１２２に蓄積された順に、ユーザ関連情報を取得する。当該取得の順序は、いわゆるＦＩＦＯ（Ｆｉｒｓｔ  Ｉｎ，  Ｆｉｒｓｔ  Ｏｕｔ）である。また、広告情報取得部１２７は、例えば、最後に蓄積されているユーザ関連情報を取得してもよい。当該取得の順序は、いわゆるＬＩＦＯ（Ｌａｓｔ  Ｉｎ，  Ｆｉｒｓｔ  Ｏｕｔ）である。また、広告情報取得部１２７は、例えば、ランダムに選んだ１つのユーザ関連情報を取得してもよい。また、これらの順序で取得する場合、広告情報取得部１２７は、例えば、予め決められた条件に合致するユーザ関連情報を取得してもよい。当該予め決められた条件とは、通常、ユーザ関連情報に関する条件である。
【００６８】
また、上記において、「１つのユーザ関連情報」とは、通常、１以上のユーザ関連情報の集合である。つまり、ここでの「１つのユーザ関連情報」とは、一の端末装置１１から送信された１以上のユーザ関連情報の集合である。
【００６９】
また、上記において、広告情報取得部１２７は、通常、取得したユーザ関連情報を、受信ユーザ関連情報格納部１２２から削除する。
【００７０】
また、サーバ受信部１２４がユーザ関連情報を受信するたびに、広告情報取得部１２７が広告情報を取得する場合、後述のサーバ送信部１２９は、結果的に、サーバ受信部１２４がユーザ関連情報を受信するたびに、当該ユーザ関連情報に対応する広告情報を送信することになる。また、広告情報取得部１２７が、定期的に広告情報を取得する場合、後述のサーバ送信部１２９は、結果的に、受信ユーザ関連情報格納部１２２に格納されている１以上のユーザ関連情報のいずれかに対応する広告情報を、定期的に送信することになる。
【００７１】
送信先識別子取得部１２８は、送信先識別子を、送信先識別子格納部１２３から取得する。当該送信先識別子は、通常、予め決められた条件を満たすほど端末装置１１の近くに存在する表示装置１３を識別する送信先識別子である。また、送信先識別子取得部１２８は、通常、広告情報取得部１２７が広告情報を取得したユーザ関連情報（広告情報取得部１２７が広告情報を取得するために受信ユーザ関連情報格納部１２２から取得したユーザ関連情報）に応じて、送信先識別子を取得する。
【００７２】
（１）ユーザ関連情報に表示装置位置情報、端末位置情報のいずれもが対応付いていない場合：この場合、当該ユーザ関連情報に対応する送信先識別子が、送信先識別子格納部１２３に格納されている。従って、この場合、送信先識別子取得部１２８は、送信先識別子格納部１２３から、当該ユーザ関連情報に対応する送信先識別子を取得する。
【００７３】
（２）ユーザ関連情報に表示装置位置情報が対応付いている場合：この場合、送信先識別子格納部１２３には、通常、表示装置位置情報が対応付いた１以上の送信先識別子が予め格納されている。従って、この場合、送信先識別子取得部１２８は、当該ユーザ関連情報に対応付いている表示装置位置情報と同一の表示装置位置情報が対応付いている送信先識別子を、送信先識別子格納部１２３から取得する。
【００７４】
（３）ユーザ関連情報に端末位置情報が対応付いている場合：この場合、送信先識別子格納部１２３には、通常、表示装置位置情報が対応付いた１以上の送信先識別子が予め格納されている。従って、この場合、送信先識別子取得部１２８は、当該端末位置情報と、当該送信先識別子に対応付いている表示装置位置情報とを用いて、予め決められた条件を満たすほど当該端末位置情報が示す端末装置１１の位置の近くに存在する表示装置１３を識別する送信先識別子を、送信先識別子格納部１２３から取得する。具体的に、送信先識別子取得部１２８は、ユーザ関連情報に対応付いている端末位置情報と、送信先識別子格納部１２３に格納されている１以上の表示装置位置情報とを用いて、当該２種類の各位置情報が示す位置間の距離を、１以上、算出する。そして、送信先識別子取得部１２８は、当該１以上の距離のいずれが、予め決められた条件を満たすか否かを判断する。当該予め決められた条件は、通常、距離に関する条件である。また、当該予め決められた条件を、以下、適宜、距離条件とする。そして、送信先識別子取得部１２８は、当該距離条件を満たすと判断した表示装置位置情報に対応付いている送信先識別子を、送信先識別子格納部１２３から取得する。
【００７５】
サーバ送信部１２９は、広告情報を、表示装置１３に送信する。当該広告情報は、広告情報取得部１２７が取得した広告情報である。また、当該表示装置１３は、送信先識別子取得部１２８が取得した送信先識別子により識別される表示装置１３である。これは、つまり、当該広告情報を、端末装置１１の近くに存在する表示装置１３に送信することである。また、当該広告情報には、位置特定情報が対応付いていることが好適である。
【００７６】
表示装置識別子格納部１３１には、表示装置識別子が格納される。当該表示装置識別子には、例えば、表示装置位置情報が対応付いていてもよい。また、表示装置識別子格納部１３１には、表示装置位置情報のみが格納されていてもよい。
【００７７】
受信部１３２は、ユーザ関連情報を、端末装置１１から受信する。当該ユーザ関連情報は、通常、異なる２以上のユーザのユーザ関連情報である。つまり、例えば、受信部１３２がユーザ関連情報を２つ受信したとする。この場合、当該２つのユーザ関連情報は、通常、異なる２人のユーザ関連情報である。また、当該ユーザ関連情報には、例えば、端末位置情報が対応付いていてもよい。
【００７８】
また、受信部１３２は、広告情報を、サーバ装置１２から受信する。当該広告情報には、１以上の位置特定情報が対応付いていてもよい。
【００７９】
出力部１３３は、受信部１３２が受信した広告情報を出力する。例えば、広告情報が画像である場合、出力部１３３は、当該画像を画面出力する。また、例えば、広告情報が音声である場合、出力部１３３は、当該音声を音出力する。また、例えば、広告情報が動画である場合、出力部１３３は、当該動画を再生し、画面出力する。また、例えば、広告情報が映像である場合、出力部１３３は、当該映像を再生し、画面出力および音出力する。
【００８０】
送信部１３４は、ユーザ関連情報を、サーバ装置１２に送信する。当該ユーザ関連情報は、受信部１３２が受信したユーザ関連情報である。また、ユーザ関連情報を送信する場合、送信部１３４は、例えば、当該ユーザ関連情報と、表示装置識別子格納部１３１に格納されている表示装置識別子とを対応付けて、サーバ装置１２に送信してもよい。また、表示装置識別子格納部１３１に表示装置位置情報が格納されている場合、送信部１３４は、例えば、当該ユーザ関連情報と、当該表示装置位置情報とを対応付けて、サーバ装置１２に送信してもよい。
【００８１】
また、送信部１３４は、位置特定情報を、端末装置１１に送信する。送信部１３４は、通常、受信部１３２が受信した広告情報に位置特定情報が対応付いている場合に、当該位置特定情報を端末装置１１に送信する。
【００８２】
なお、ユーザ関連情報格納部１１１、広告管理情報格納部１２１、受信ユーザ関連情報格納部１２２、送信先識別子格納部１２３、表示装置識別子格納部１３１は、不揮発性の記録媒体が好適であるが、揮発性の記録媒体でも実現可能である。また、ユーザ関連情報格納部１１１などに予め決められた情報が記憶される過程は、問わない。例えば、当該予め決められた情報は、記録媒体や、通信回線、入力デバイスなどを介してユーザ関連情報格納部１１１などに記憶されてもよい。
【００８３】
また、端末送信部１１４、サーバ送信部１２９、送信部１３４は、通常、無線または有線の通信手段で実現されるが、放送手段で実現されてもよい。
【００８４】
また、端末受信部１１５、サーバ受信部１２４、受信部１３２は、通常、無線または有線の通信手段で実現されるが、放送を受信する手段で実現されてもよい。
【００８５】
また、経路探索部１１６、受信ユーザ関連情報蓄積部１２５、送信先識別子蓄積部１２６、広告情報取得部１２７、送信先識別子取得部１２８は、通常、ＭＰＵやメモリ等から実現され得る。また、経路探索部１１６などの処理手順は、通常、ソフトウェアで実現され、当該ソフトウェアはＲＯＭ等の記録媒体に記録されている。なお、経路探索部１１６などは、ハードウェア（専用回路）で実現されてもよい。
【００８６】
また、端末出力部１１７、出力部１３３は、ディスプレイやスピーカーなどの出力デバイスを含むと考えてもよいし、含まないと考えてもよい。端末出力部１１７は、出力デバイスのドライバーソフトまたは、出力デバイスのドライバーソフトと出力デバイスなどで実現され得る。
【００８７】
次に、広告表示システム１の全体動作について、フローチャートを用いて説明する。なお、予め決められた情報におけるｉ番目の情報は、「情報［ｉ］」と記載するものとする。まず、端末装置１１の全体動作について、図３のフローチャートを用いて説明する。なお、図３のフローチャートにおいて、ユーザ関連情報格納部１１１には、予めユーザ属性情報が格納されているものとする。
【００８８】
（ステップＳ３０１）端末装置１１は、図示しない端末受付部が電源ＯＮの指示を受け付けたか否かを判断する。受け付けた場合は、ステップＳ３０２に進み、そうでない場合は、ステップＳ３０１に戻る。
【００８９】
（ステップＳ３０２）端末装置１１は、電源ＯＮの処理を行う。
【００９０】
（ステップＳ３０３）端末位置情報取得部１１２は、端末位置情報の取得を開始する。以降、端末位置情報取得部１１２は、通常、端末装置１１の電源がＯＦＦになるまで、端末位置情報を定期的に取得し続ける。
【００９１】
（ステップＳ３０４）図示しない端末蓄積部は、図示しない端末受付部が入力情報を受け付けたか否かを判断する。受け付けた場合は、ステップＳ３０５に進み、そうでない場合は、ステップＳ３０６に進む。
【００９２】
（ステップＳ３０５）図示しない端末蓄積部は、ステップＳ３０４で受け付けた入力情報を、ユーザ関連情報格納部１１１に蓄積する。
【００９３】
（ステップＳ３０６）端末送信部１１４は、ユーザ関連情報の送信のタイミングであるか否かを判断する。例えば、ユーザ関連情報の送信は、図示しない端末受付部がユーザ関連情報を送信する指示であるユーザ関連情報送信指示を受け付けた場合に行うと予め決められている場合、端末送信部１１４は、図示しない端末受付部がユーザ関連情報送信指示を受け付けたか否かを判断する。そして、送信のタイミングである場合は、ステップＳ３０７に進み、そうでない場合は、ステップＳ３１４に進む。
【００９４】
（ステップＳ３０７）端末送信部１１４は、ユーザ関連情報のみを送信するか、ユーザ関連情報と端末位置情報とを送信するか否かを判断する。例えば、当該送信する情報の種類を示す情報が予め決められた記憶領域に格納されている場合、端末送信部１１４は、当該情報により送信する情報の種類を判断する。そして、ユーザ関連情報のみを送信する場合は、ステップＳ３０８に進み、そうでない場合は、ステップＳ３０９に進む。
【００９５】
（ステップＳ３０８）図示しない端末ユーザ関連情報取得部は、ユーザ関連情報格納部１１１から予め決められた条件に合致する１以上のユーザ関連情報を取得し、端末送信部１１４は、当該取得した１以上のユーザ関連情報を、表示装置１３に送信する。
【００９６】
（ステップＳ３０９）図示しない端末ユーザ関連情報取得部は、ユーザ関連情報格納部１１１から予め決められた条件に合致する１以上のユーザ関連情報を取得し、端末送信部１１４は、当該取得した１以上のユーザ関連情報と、端末位置情報取得部１１２が取得した端末位置情報とを対応付け、表示装置１３に送信する。
【００９７】
（ステップＳ３１０）経路探索部１１６は、端末受信部１１５が位置特定情報を受信したか否かを判断する。受信した場合は、ステップＳ３１１に進み、そうでない場合は、ステップＳ３１４に進む。
【００９８】
（ステップＳ３１１）経路探索部１１６は、位置特定情報を用いて、当該位置特定情報により特定される位置を示す位置情報を取得する。
【００９９】
（ステップＳ３１２）経路探索部１１６は、端末位置情報取得部１１２が取得した端末位置情報と、ステップＳ３１１で取得した位置情報とを用いて、端末位置情報が示す位置から取得した位置情報が示す位置までの経路を探索し、当該経路を示す経路情報を取得する。
【０１００】
（ステップＳ３１３）端末出力部１１７は、ステップＳ３１２で取得した経路情報を出力する。
【０１０１】
（ステップＳ３１４）端末装置１１は、図示しない端末受付部が電源ＯＦＦの指示を受け付けたか否かを判断する。受け付けた場合は、ステップＳ３１５に進み、そうでない場合は、ステップＳ３０４に戻る。
【０１０２】
（ステップＳ３１５）端末装置１１は、電源ＯＦＦの処理を行う。そして、ステップＳ３０１に戻る。
【０１０３】
なお、図３のフローチャートにおいて、電源オフや処理終了の割り込みにより処理を終了してもよい。
【０１０４】
次に、サーバ装置１２の全体動作について、図４のフローチャートを用いて説明する。
【０１０５】
（ステップＳ４０１）受信ユーザ関連情報蓄積部１２５は、サーバ受信部１２４がユーザ関連情報を表示装置１３から受信したか否かを判断する。受信した場合は、ステップＳ４０２に進み、そうでない場合は、ステップＳ４０１に戻る。
【０１０６】
（ステップＳ４０２）受信ユーザ関連情報蓄積部１２５は、ステップＳ４０１で受信したユーザ関連情報に表示装置識別子が対応付いているか否かを判断する。対応付いている場合は、ステップＳ４０３に進み、そうでない場合は、ステップＳ４０８に進む。
【０１０７】
（ステップＳ４０３）受信ユーザ関連情報蓄積部１２５は、ステップＳ４０１で受信したユーザ関連情報を受信ユーザ関連情報格納部１２２に蓄積する。
【０１０８】
（ステップＳ４０４）送信先識別子蓄積部１２６は、ステップＳ４０１で受信したユーザ関連情報に対応付いている表示装置識別子を、送信先識別子として送信先識別子格納部１２３に蓄積する。
【０１０９】
（ステップＳ４０５）受信ユーザ関連情報蓄積部１２５は、ステップＳ４０１で受信したユーザ関連情報に表示装置位置情報が対応付いているか否かを判断する。対応付いている場合は、ステップＳ４０９に進み、そうでない場合は、ステップＳ４１３に進む。
【０１１０】
（ステップＳ４０６）受信ユーザ関連情報蓄積部１２５は、ステップＳ４０１で受信したユーザ関連情報を、当該ユーザ関連情報に対応付いている表示装置位置情報と共に受信ユーザ関連情報格納部１２２に蓄積する。
【０１１１】
（ステップＳ４０７）受信ユーザ関連情報蓄積部１２５は、ステップＳ４０１で受信したユーザ関連情報に端末位置情報が対応付いているか否かを判断する。対応付いている場合は、ステップＳ４０９に進み、そうでない場合は、ステップＳ４１３に進む。
【０１１２】
（ステップＳ４０８）受信ユーザ関連情報蓄積部１２５は、ステップＳ４０１で受信したユーザ関連情報を、当該ユーザ関連情報に対応付いている端末位置情報と共に受信ユーザ関連情報格納部１２２に蓄積する。
【０１１３】
（ステップＳ４０９）広告情報取得部１２７は、広告情報の取得のタイミングであるか否かを判断する。取得のタイミングである場合は、ステップＳ４１０に進み、そうでない場合は、ステップＳ４０１に戻る。
【０１１４】
（ステップＳ４１０）広告情報取得部１２７は、受信ユーザ関連情報格納部１２２から１つのユーザ関連情報を取得する。
【０１１５】
（ステップＳ４１１）広告情報取得部１２７は、ステップＳ４１０で取得した１つのユーザ関連情報に対応する広告情報を取得する。この処理の詳細は、図５のフローチャートを用いて説明する。
【０１１６】
（ステップＳ４１２）送信先識別子取得部１２８は、ステップＳ４１１で広告情報を取得したユーザ関連情報に位置情報が対応付いているか否かを判断する。当該位置情報は、表示装置位置情報または端末位置情報である。対応付いている場合は、ステップＳ４１４に進み、そうでない場合は、ステップＳ４１３に進む。
【０１１７】
（ステップＳ４１３）送信先識別子取得部１２８は、ステップＳ４１１で広告情報を取得したユーザ関連情報に対応する送信先識別子を、送信先識別子格納部１２３から取得する。
【０１１８】
（ステップＳ４１４）送信先識別子取得部１２８は、ステップＳ４１１で広告情報を取得したユーザ関連情報に対応付いている位置情報を用いて、送信先識別子を取得する。この処理の詳細は、図６のフローチャートを用いて説明する。
【０１１９】
（ステップＳ４１５）サーバ送信部１２９は、ステップＳ４１１で取得した広告情報を、ステップＳ４１３またはステップＳ４１４で取得した送信先識別子により識別される表示装置１３に送信する。そして、ステップＳ４０１に戻る。
【０１２０】
なお、図４のフローチャートにおいて、電源オフや処理終了の割り込みにより処理を終了してもよい。
【０１２１】
図５は、図４のフローチャートのステップＳ４１１の広告情報の取得処理を示すフローチャートである。なお、図５のフローチャートにおいて、広告管理情報格納部１２１には、ｍ個の広告管理情報が格納されているものとする。
【０１２２】
（ステップＳ５０１）広告情報取得部１２７は、カウンタｉに１をセットする。
【０１２３】
（ステップＳ５０２）広告情報取得部１２７は、ステップＳ４１０で取得したユーザ関連情報が、広告管理情報［ｉ］が有する取得条件である取得条件［ｉ］に合致するか否かを判断する。合致する場合は、ステップＳ５０３に進み、そうでない場合は、ステップＳ５０４に進む。
【０１２４】
（ステップＳ５０３）広告情報取得部１２７は、広告管理情報［ｉ］が有する広告情報である広告情報［ｉ］を取得する。
【０１２５】
（ステップＳ５０４）広告情報取得部１２７は、ｉがｍであるか否かを判断する。ｍである場合は、上位処理にリターンし、そうでない場合は、ステップＳ５０５に進む。
【０１２６】
（ステップＳ５０５）広告情報取得部１２７は、ｉを１インクリメントし、ステップＳ５０２に戻る。
【０１２７】
図６は、図４のフローチャートのステップＳ４１４の送信先識別子の取得処理を示すフローチャートである。なお、図６のフローチャートにおいて、送信先識別子格納部１２３には、ｍ個の送信先識別子が格納されているものとする。また、当該各送信先識別子には、表示装置位置情報が対応付いているものとする。
【０１２８】
（ステップＳ６０１）送信先識別子取得部１２８は、カウンタｉに１をセットする。
【０１２９】
（ステップＳ６０２）送信先識別子取得部１２８は、広告情報取得部１２７が広告情報を取得したユーザ関連情報に対応付いている位置情報が、送信先識別子［ｉ］に対応付いている表示装置位置情報である表示装置位置情報［ｉ］と同じであるか否かを判断する。同じである場合は、ステップＳ６０５に進み、そうでない場合は、ステップＳ６０３に進む。
【０１３０】
（ステップＳ６０３）送信先識別子取得部１２８は、広告情報取得部１２７が広告情報を取得したユーザ関連情報に対応付いている位置情報と、表示装置位置情報［ｉ］とを用いて、当該２つの位置情報が示す位置間の距離を算出する。
【０１３１】
（ステップＳ６０４）送信先識別子取得部１２８は、ステップＳ６０３で算出した距離が距離条件を満たすか否かを判断する。満たす場合は、ステップＳ６０５に進み、そうでない場合は、ステップＳ６０６に進む。
【０１３２】
（ステップＳ６０５）送信先識別子取得部１２８は、送信先識別子［ｉ］を取得する。
【０１３３】
（ステップＳ６０６）送信先識別子取得部１２８は、ｉがｍであるか否かを判断する。ｍである場合は、上位処理にリターンし、そうでない場合は、ステップＳ６０７に進む。
【０１３４】
（ステップＳ６０７）送信先識別子取得部１２８は、ｉを１インクリメントし、ステップＳ６０２に戻る。
【０１３５】
次に、表示装置１３の全体動作について、図７のフローチャートを用いて説明する。
【０１３６】
（ステップＳ７０１）送信部１３４は、受信部１３２がユーザ関連情報を端末装置１１から受信したか否かを判断する。受信した場合は、ステップＳ７０２に進み、そうでない場合は、ステップＳ７０８に進む。
【０１３７】
（ステップＳ７０２）送信部１３４は、表示装置識別子格納部１３１に表示装置識別子が格納されているか否かを判断する。格納されている場合は、ステップＳ７０３に進み、そうでない場合は、ステップＳ７０４に進む。
【０１３８】
（ステップＳ７０３）送信部１３４は、ステップＳ７０１で受信したユーザ関連情報と、表示装置識別子格納部１３１に格納されている表示装置識別子とを対応付けて、サーバ装置１２に送信する。
【０１３９】
（ステップＳ７０４）送信部１３４は、表示装置識別子格納部１３１に表示装置位置情報が格納されているか否かを判断する。格納されている場合は、ステップＳ７０５に進み、そうでない場合は、ステップＳ７０６に進む。
【０１４０】
（ステップＳ７０５）送信部１３４は、ステップＳ７０１で受信したユーザ関連情報と、表示装置識別子格納部１３１に格納されている表示装置位置情報とを対応付けて、サーバ装置１２に送信する。
【０１４１】
（ステップＳ７０６）送信部１３４は、ステップＳ７０１で受信したユーザ関連情報に端末位置情報が対応付いているか否かを判断する。対応付いている場合は、ステップＳ７０７に進み、そうでない場合は、ステップＳ７０８に進む。
【０１４２】
（ステップＳ７０７）送信部１３４は、ステップＳ７０６で受信したユーザ関連情報と端末位置情報とを、サーバ装置１２に送信する。
【０１４３】
（ステップＳ７０８）出力部１３３は、受信部１３２が広告情報をサーバ装置１２から受信したか否かを判断する。受信した場合は、ステップＳ７０９に進み、そうでない場合は、ステップＳ７０１に戻る。
【０１４４】
（ステップＳ７０９）出力部１３３は、ステップＳ７０８で受信した広告情報を出力する。
【０１４５】
（ステップＳ７１０）送信部１３４は、出力部１３３が出力している広告情報に位置特定情報が対応付いているか否かを判断する。対応付いている場合は、ステップＳ７１１に進み、そうでない場合は、ステップＳ７０１に戻る。
【０１４６】
（ステップＳ７１１）送信部１３４は、出力部１３３が出力している広告情報に対応付いている位置特定情報を、端末装置１１に送信する。
【０１４７】
なお、図７のフローチャートにおいて、電源オフや処理終了の割り込みにより処理を終了してもよい。
【０１４８】
（具体例）
次に、広告表示システム１の動作の具体例について説明する。なお、本具体例において、端末装置１１は、いわゆるスマートフォンであるものとする。また、サーバ装置１２は、広告管理情報が蓄積されているサーバ（以下、サーバ）であるものとする。また、表示装置１３は、いわゆるサイネージディスプレイ（以下、ディスプレイ）であるものとする。また、広告管理情報格納部１２１には、図８に示す広告管理情報が格納されているものとする。当該広告管理情報は、レコードを一意に特定するためのＩＤと、取得条件と、広告情報（項目名：広告）とを有する。
【０１４９】
（例１）
本例において、サーバ装置１２が、表示装置１３からユーザ関連情報と表示装置識別子とを受信して広告情報を取得する例について説明する。なお、本例において、表示装置識別子格納部１３１には、表示装置識別子であるＩＰアドレス「２０４．２４．１２３．１２」が予め格納されているものとする。
【０１５０】
まず、ユーザがスマートフォンを操作し、自身の目の前に位置するディスプレイに、ユーザ関連情報を送信するための操作を行ったとする。当該操作は、例えば、スマートフォンの画面に表示されているユーザ関連情報の送信ボタンをタップすることや、スマートフォンをディスプレイに近づける（かざす）ことなどである。すると、端末送信部１１４は、ユーザ関連情報格納部１１１に格納されている１以上のユーザ関連情報を取得し、当該１以上のユーザ関連情報を、ディスプレイに送信する。ここで、当該１以上のユーザ関連情報は、「（キーワード＝京都，奈良，名所），（性別＝女），（趣味＝旅行，観光）」であるものとする。当該ユーザ関連情報は、入力情報であるキーワードが「京都」、「奈良」、「名所」であり、性別が「女」であり、趣味が「旅行」、「観光」であることを示す。
【０１５１】
次に、ディスプレイの受信部１３２は、上記のユーザ関連情報を受信する。そして、送信部１３４は、当該ユーザ関連情報を、表示装置識別子格納部１３１に格納されているＩＰアドレス「２０４．２４．１２３．１２」と対応付けて、サーバに送信する。
【０１５２】
次に、サーバのサーバ受信部１２４は、上記のユーザ関連情報とＩＰアドレスとを受信する。そして、受信ユーザ関連情報蓄積部１２５は、当該受信したユーザ関連情報を、受信ユーザ関連情報格納部１２２に蓄積する。また、送信先識別子蓄積部１２６は、当該受信したＩＰアドレスを、送信先識別子格納部１２３に蓄積する。
【０１５３】
次に、広告情報取得部１２７は、上記において受信ユーザ関連情報蓄積部１２５が蓄積したユーザ関連情報「（キーワード＝京都，奈良，名所），（性別＝女），（趣味＝旅行，観光）」を、受信ユーザ関連情報格納部１２２から取得する。そして、広告情報取得部１２７は、当該取得したユーザ関連情報が、図８の広告関連情報が有する主遠く条件のいずれに合致するか否かを判断する。そして、広告情報取得部１２７は、当該ユーザ関連情報が、図８の「ＩＤ＝０１６」の取得条件「（性別＝女）＆（趣味＝旅行）」に合致すると判断する。当該取得条件は、ユーザの性別が「女」であり、かつ、趣味が「旅行」であることを意味する。そして、広告情報取得部１２７は、図８の「ＩＤ＝０１６」の広告情報「Ａｄｓ０６．ｍｐｇ」を、広告管理情報格納部１２１から取得する。当該広告情報は、映像である。
【０１５４】
次に、送信先識別子取得部１２８は、上記において送信先識別子蓄積部１２６が蓄積したＩＰアドレス「２０４．２４．１２３．１２」を、送信先識別子格納部１２３から取得する。そして、サーバ送信部１２９は、当該ＩＰアドレスで識別されるディスプレイに、上記において取得した映像「Ａｄｓ０６．ｍｐｇ」を送信する。
【０１５５】
（例２）
本例において、サーバ装置１２が、表示装置１３からユーザ関連情報と表示装置位置情報とを受信して広告情報を取得する例について説明する。なお、本例において、表示装置識別子格納部１３１には、表示装置位置情報「（Ｎ３５．２２３３，Ｅ１３４．１１２２）」が予め格納されているものとする。また、送信先識別子格納部１２３には、図９に示す送信先識別子が予め格納されているものとする。当該送信先識別子（項目名：ＩＰアドレス）には、レコードを一意に特定するためのＩＤと、ディスプレイの名称と、表示装置位置情報（項目名：位置）とが対応付いている。
【０１５６】
まず、例１と同様に、ユーザがスマートフォンを操作し、ユーザ関連情報をディスプレイに送信したとする。当該送信したユーザ関連情報は、例１と同様の「（キーワード＝京都，奈良，名所），（性別＝女），（趣味＝旅行，観光）」である。
【０１５７】
次に、ディスプレイの受信部１３２は、上記のユーザ関連情報を受信する。そして、送信部１３４は、当該ユーザ関連情報を、表示装置識別子格納部１３１に格納されている表示装置位置情報「（Ｎ３５．２２３３，Ｅ１３４．１１２２）」と対応付けて、サーバに送信する。
【０１５８】
次に、サーバのサーバ受信部１２４は、上記のユーザ関連情報と表示装置位置情報とを受信する。そして、受信ユーザ関連情報蓄積部１２５は、当該受信したユーザ関連情報を、当該ユーザ関連情報に対応付いている表示装置位置情報と共に、受信ユーザ関連情報格納部１２２に蓄積する。
【０１５９】
次に、広告情報取得部１２７は、例１と同様に、図８の「ＩＤ＝０１６」の広告情報「Ａｄｓ０６．ｍｐｇ」を、広告管理情報格納部１２１から取得する。
【０１６０】
次に、送信先識別子取得部１２８は、上記において受信ユーザ関連情報蓄積部１２５が蓄積した表示装置位置情報「（Ｎ３５．２２３３，Ｅ１３４．１１２２）」と同一の表示装置位置情報に対応付いている図９の「ＩＤ＝０１２」のＩＰアドレス「２０４．２４．１２３．１２」を取得する。
【０１６１】
次に、サーバ送信部１２９は、上記において送信先識別子取得部１２８が取得したＩＰアドレスで識別されるディスプレイに、上記において取得した映像「Ａｄｓ０６．ｍｐｇ」を送信する。
【０１６２】
（例３）
本例において、サーバ装置１２が、表示装置１３からユーザ関連情報と端末位置情報とを受信して広告情報を取得する例について説明する。なお、本例において、送信先識別子格納部１２３には、図９に示す送信先識別子が予め格納されているものとする。
【０１６３】
まず、例１と同様に、ユーザがスマートフォンを操作し、ユーザ関連情報と端末位置情報とをディスプレイに送信したとする。当該送信したユーザ関連情報は、例１と同様の「（キーワード＝京都，奈良，名所），（性別＝女），（趣味＝旅行，観光）」である。また、当該送信した端末位置情報は、「（Ｎ３４．２２３４，Ｅ１３５．３３４５）」であるものとする。
【０１６４】
次に、ディスプレイの受信部１３２は、上記のユーザ関連情報と端末位置情報とを受信する。そして、送信部１３４は、当該２つの情報を対応付けて、サーバに送信する。
【０１６５】
次に、サーバのサーバ受信部１２４は、上記のユーザ関連情報と端末位置情報とを受信する。そして、受信ユーザ関連情報蓄積部１２５は、当該受信したユーザ関連情報を、当該ユーザ関連情報に対応付いている端末位置情報と共に、受信ユーザ関連情報格納部１２２に蓄積する。
【０１６６】
次に、広告情報取得部１２７は、例１と同様に、図８の「ＩＤ＝０１６」の広告情報「Ａｄｓ０６．ｍｐｇ」を、広告管理情報格納部１２１から取得する。
【０１６７】
次に、送信先識別子取得部１２８は、上記において受信ユーザ関連情報蓄積部１２５が蓄積した端末位置情報「（Ｎ３４．２２３４，Ｅ１３５．３３４５）」と、図９の１以上の各表示装置位置情報とを用いて、当該２種類の各位置情報が示す位置間の距離を算出する。そして、当該算出した１以上の距離のいずれが、距離条件に合致するか否かを判断する。ここで、端末位置情報「（Ｎ３４．２２３４，Ｅ１３５．３３４５）」と、図９の「ＩＤ＝０１５」の表示装置位置情報「（Ｎ３４．２２３３，Ｅ１３５．３３４４）」を用いて算出した距離が、「１ｍ」であるものとする。また、距離条件が、「距離≦２ｍ」であるものとする。当該距離条件は、距離が２ｍ以下であることを意味する。すると、送信先識別子取得部１２８は、図９の「ＩＤ＝０１５」のＩＰアドレス「２０４．２４．１２３．１５」を取得する。
【０１６８】
次に、サーバ送信部１２９は、上記において送信先識別子取得部１２８が取得したＩＰアドレスで識別されるディスプレイに、上記において取得した映像「Ａｄｓ０６．ｍｐｇ」を送信する。
【０１６９】
（例４）
本例において、サーバ装置１２が、予め格納されている２以上のユーザ関連情報を用いて広告情報を取得する例について説明する。なお、本例において、受信ユーザ関連情報格納部１２２には、図１０に示すユーザ関連情報が予め格納されているものとする。当該ユーザ関連情報には、レコードを一意に特定するためのＩＤと、端末位置情報と、日時情報（項目名：日時）とが対応付いている。また、図１０のユーザ関連情報は、サーバ受信部１２４が受信し、受信ユーザ関連情報蓄積部１２５が受信ユーザ関連情報格納部１２２に蓄積したものであるものとする。また、広告情報取得部１２７は、サーバ受信部１２４のユーザ関連情報の受信に関係なく、定期的に広告情報を取得するものとする。また、広告情報取得部１２７は、受信ユーザ関連情報格納部１２２に格納されている１以上のユーザ関連情報を、日時情報が示す日時の降順に取得するものとする。
【０１７０】
まず、広告情報の取得のタイミングになったとする。すると、広告情報取得部１２７は、図１０の「ＩＤ＝０１１」のユーザ関連情報「（キーワード＝京都，観光，・・・），（性別＝女），（趣味＝旅行，・・・）」を取得する。そして、広告情報取得部１２７は、当該取得したユーザ関連情報が、図８の「ＩＤ＝０１６」の取得条件「（性別＝女）＆（趣味＝旅行）」に合致すると判断する。そして、広告情報取得部１２７は、図８の「ＩＤ＝０１６」の広告情報「Ａｄｓ０６．ｍｐｇ」を取得する。
【０１７１】
次に、送信先識別子取得部１２８は、上記で広告情報を取得したユーザ関連情報に対応する図１０の「ＩＤ＝０１１」の端末位置情報「（Ｎ３４．２２３３，Ｅ１３５．３３４４）」を取得する。そして、送信先識別子取得部１２８は、当該端末位置情報と同一の表示装置位置情報に対応付いている図９の「ＩＤ＝０１５」のＩＰアドレス「２０４．２４．１２３．１５」を取得する。
【０１７２】
また、例えば、新たなユーザ関連情報が受信ユーザ関連情報格納部１２２に蓄積されることなく、次の広告情報の取得のタイミングになったとする。すると、広告情報取得部１２７は、図１０の「ＩＤ＝０１２」のユーザ関連情報「（キーワード＝神戸，夜景，・・・），（性別＝男），（趣味＝ドライブ，・・・）」を取得する。そして、広告情報取得部１２７は、当該取得したユーザ関連情報が、図８の「ＩＤ＝０１５」の取得条件「（性別＝男）＆（趣味＝ドライブ）」に合致すると判断する。そして、広告情報取得部１２７は、図８の「ＩＤ＝０１５」の広告情報「Ａｄｓ０５．ｍｐｇ」を取得する。
【０１７３】
次に、送信先識別子取得部１２８は、上記で広告情報を取得したユーザ関連情報に対応する図１０の「ＩＤ＝０１２」の端末位置情報「（Ｎ３５．３３４４，Ｅ１３４．２２３３）」を取得する。そして、送信先識別子取得部１２８は、当該端末位置情報と同一の表示装置位置情報に対応付いている図９の「ＩＤ＝０１６」のＩＰアドレス「２０４．２４．１２３．１６」を取得する。
【０１７４】
なお、広告情報の送信の例などは、例３と同様であるので、説明を省略する。
【０１７５】
（例５）
本例において、表示装置１３が、サーバ装置１２から受信した広告情報を出力する例について説明する。
【０１７６】
まず、ディスプレイの受信部１３２が、図８の「ＩＤ＝０１６」の広告情報「Ａｄｓ０６．ｍｐｇ」を受信したとする。当該広告情報は、映像である。すると、出力部１３３は、当該映像を再生し、画面出力および音出力する。このときの様子は、例えば、図１１である。
【０１７７】
（例６）
本例において、端末装置１１が、表示装置１３から受信した位置特定情報を用いて経路探索を行う例について説明する。
【０１７８】
まず、地図上の「Ａ地点」にディスプレイが存在し、当該ディスプレイの受信部１３２が図８の「ＩＤ＝０１６」の広告情報「Ａｄｓ０６．ｍｐｇ」を受信し、出力部１３３が、当該広告情報を出力しているとする。また、当該広告情報は、地図上の「Ｃ地点」の位置を示す位置情報である位置特定情報が対応付いているとする。また、このとき、スマートフォンを所持するユーザが、当該ディスプレイの直前に居るとする。
【０１７９】
次に、ディスプレイの送信部１３４は、出力部１３３が出力している広告情報に対応付いている位置特定情報を、上記のスマートフォンに送信する。すると、スマートフォンの端末受信部１１５は、当該位置特定情報を受信する。
【０１８０】
次に、端末位置情報取得部１１２は、「Ａ地点」の位置を示す端末位置情報を取得する。そして、経路探索部１１６は、「Ａ地点」の位置を示す端末位置情報と、「Ｃ地点」の位置を示す位置特定情報とを用いて、「Ａ地点」から「Ｃ地点」までの経路を探索する。そして、経路探索部１１６は、当該経路を示す経路情報を取得する。
【０１８１】
次に、端末出力部１１７は、経路探索部１１６が取得した経路情報を画面出力する。このときの様子は、例えば、図１２である。
【０１８２】
以上、本実施の形態による広告表示システム１によれば、表示装置の近くにいるユーザが端末装置に入力した用語や、当該ユーザの属性に適合する適切な広告を、自動的に表示することができる。これにより、特定の場所や、特定の性別、特定の年齢層などにターゲットを絞った広告を、当該ターゲットに適合するユーザに効果的かつ適切に表示することができる。
【０１８３】
また、本実施の形態による広告表示システム１によれば、表示装置に表示されている広告に関連する場所までの経路案内を行うことができる。
【０１８４】
（実施の形態２）
本実施の形態において、端末装置２１と、サーバ装置２２と、表示装置２３とを備える広告表示システム２について説明する。端末装置２１は、サーバ装置２２に、ユーザ関連情報と、自身の位置を示す端末位置情報とを送信する。サーバ装置２２は、受信した関連情報に対応する広告情報と、受信した位置情報が示す位置の近くに存在する表示装置２３を識別する表示装置識別子とを取得する。そして、サーバ装置２２は、取得した表示装置識別子により識別される表示装置２３に、取得した広告情報を送信する。表示装置２３は、受信した広告情報を出力する。
【０１８５】
図１３は、本実施の形態における広告表示システム２の概念図である。図１３において、端末装置２１と、サーバ装置２２と、表示装置２３とは、ネットワーク２４を介して接続されている。ネットワーク２４は、無線または有線の通信回線であり、例えば、インターネットやイントラネット、ＬＡＮ（Ｌｏｃａｌ  Ａｒｅａ  Ｎｅｔｗｏｒｋ）、公衆電話回線網などである。また、端末装置１１は、例えば、いわゆるスマートフォンやフィーチャーフォンなどの携帯電話や、タブレット型のパソコン、ＰＤＡなどである。また、当該端末装置１１は、通常、２以上である。また、当該２以上の端末装置１１は、通常、異なるユーザ（人）が所持している。また、表示装置２３は、通常、いわゆるサイネージディスプレイである。
【０１８６】
また、端末装置２１のブロック図は、図２の端末装置１１のブロック図と同様であり、図２の端末送信部１１４を端末送信部２１４と読み替えたものである。また、サーバ装置２２のブロック図は、図２のサーバ装置１２のブロック図と同様であり、図２の送信先識別子蓄積部１２６がなく、サーバ受信部１２４をサーバ受信部２２４と、送信先識別子取得部１２８を送信先識別子取得部２２８と読み替えたものである。また、表示装置２３のブロック図は、図２のブロック図と同様であり、図２の表示装置識別子格納部１３１がなく、受信部１３２を受信部２３２と、送信部１３４を送信部２３４と読み替えたものである。
【０１８７】
端末送信部２１４は、ユーザ関連情報と端末位置情報とを送信する。当該ユーザ関連情報は、ユーザ関連情報格納部１１１に格納されているユーザ関連情報である。また、当該端末位置情報は、端末位置情報取得部１１２が取得した端末位置情報である。また、この場合、端末送信部２１４は、通常、ユーザ関連情報と端末位置情報とを対応付けて送信する。つまり、端末送信部２１４は、ユーザ関連情報と端末位置情報とを、同時に送信する。また、本実施の形態において、端末送信部２１４は、通常、サーバ装置２２に、ユーザ関連情報と端末位置情報とを送信する。
【０１８８】
サーバ受信部２２４は、ユーザ関連情報と端末位置情報と、端末装置２１から受信する。当該ユーザ関連情報は、通常、異なる２以上のユーザのユーザ関連情報である。つまり、例えば、サーバ受信部２２４がユーザ関連情報と端末位置情報とが対応付いた情報を２つ受信したとする。この場合、当該２つのユーザ関連情報は、通常、異なる２人のユーザ関連情報である。
【０１８９】
送信先識別子取得部２２８は、送信先識別子を、送信先識別子格納部１２３から取得する。本実施の形態において、送信先識別子格納部１２３には、通常、表示装置位置情報が対応付いた１以上の送信先識別子が、予め格納されている。従って、送信先識別子取得部２２８は、サーバ受信部２２４が受信した端末位置情報と、当該送信先識別子に対応付いている表示装置位置情報とを用いて、予め決められた条件を満たすほど当該端末位置情報が示す端末装置２１の位置の近くに存在する表示装置２３を識別する送信先識別子を、送信先識別子格納部１２３から取得する。具体的に、送信先識別子取得部２２８は、サーバ受信部２２４が受信した端末位置情報と、送信先識別子格納部１２３に格納されている１以上の表示装置位置情報とを用いて、当該２種類の各位置情報が示す位置間の距離を、１以上、算出する。そして、送信先識別子取得部２２８は、当該１以上の距離のいずれが、距離条件を満たすか否かを判断する。そして、送信先識別子取得部２２８は、当該距離条件を満たすと判断した表示装置位置情報に対応付いている送信先識別子を、送信先識別子格納部１２３から取得する。
【０１９０】
受信部２３２は、広告情報を、サーバ装置２２から受信する。当該広告情報には、１以上の位置特定情報が対応付いている場合がある。
【０１９１】
送信部２３４は、位置特定情報を、端末装置２１に送信する。送信部２３４は、通常、受信部２３２が広告情報を受信した場合、かつ、当該受信した広告情報に位置特定情報が対応付いている場合に、当該位置特定情報を端末装置２１に送信する。
【０１９２】
なお、端末送信部２１４、送信部２３４は、通常、無線または有線の通信手段で実現されるが、放送手段で実現されてもよい。
【０１９３】
また、サーバ受信部２２４、受信部２３２は、通常、無線または有線の通信手段で実現されるが、放送を受信する手段で実現されてもよい。
【０１９４】
また、送信先識別子取得部２２８は、通常、ＭＰＵやメモリ等から実現され得る。また、送信先識別子取得部２２８の処理手順は、通常、ソフトウェアで実現され、当該ソフトウェアはＲＯＭ等の記録媒体に記録されている。なお、送信先識別子取得部２２８は、ハードウェア（専用回路）で実現されてもよい。
【０１９５】
次に、広告表示システム２の全体動作について、フローチャートを用いて説明する。なお、予め決められた情報におけるｉ番目の情報は、「情報［ｉ］」と記載するものとする。まず、端末装置２１の全体動作について、図１４のフローチャートを用いて説明する。なお、図１４のフローチャートにおいて、ステップＳ１４０８からステップＳ１４１３までの各処理は、図３のフローチャートのステップＳ３１０からステップＳ３１５までの各処理と同様であるので、説明を省略する。
【０１９６】
（ステップＳ１４０１）端末装置２１は、図示しない端末受付部が電源ＯＮの指示を受け付けたか否かを判断する。受け付けた場合は、ステップＳ１４０２に進み、そうでない場合は、ステップＳ１４０１に戻る。
【０１９７】
（ステップＳ１４０２）端末装置２１は、電源ＯＮの処理を行う。
【０１９８】
（ステップＳ１４０３）端末位置情報取得部１１２は、端末位置情報の取得を開始する。以降、端末位置情報取得部１１２は、通常、端末装置２１の電源がＯＦＦになるまで、端末位置情報を定期的に取得し続ける。
【０１９９】
（ステップＳ１４０４）図示しない端末蓄積部は、図示しない端末受付部が入力情報を受け付けたか否かを判断する。受け付けた場合は、ステップＳ１４０５に進み、そうでない場合は、ステップＳ１４０６に進む。
【０２００】
（ステップＳ１４０５）図示しない端末蓄積部は、ステップＳ１４０４で受け付けた入力情報を、ユーザ関連情報格納部１１１に蓄積する。
【０２０１】
（ステップＳ１４０６）端末送信部２１４は、ユーザ関連情報の送信のタイミングであるか否かを判断する。例えば、ユーザ関連情報の送信は、図示しない端末受付部がユーザ関連情報を送信する指示であるユーザ関連情報送信指示を受け付けた場合に行うと予め決められている場合、端末送信部２１４は、図示しない端末受付部がユーザ関連情報送信指示を受け付けたか否かを判断する。そして、送信のタイミングである場合は、ステップＳ１４０７に進み、そうでない場合は、ステップＳ１４０８に進む。
【０２０２】
（ステップＳ１４０７）図示しない端末ユーザ関連情報取得部は、ユーザ関連情報格納部１１１から予め決められた条件に合致する１以上のユーザ関連情報を取得し、端末送信部２１４は、当該取得した１以上のユーザ関連情報と、端末位置情報取得部１１２が取得した端末位置情報とを対応付け、表示装置２３に送信する。
【０２０３】
なお、図１４のフローチャートにおいて、電源オフや処理終了の割り込みにより処理を終了してもよい。
【０２０４】
次に、サーバ装置２２の全体動作について、図１５のフローチャートを用いて説明する。
【０２０５】
（ステップＳ１５０１）受信ユーザ関連情報蓄積部１２５は、サーバ受信部２２４がユーザ関連情報と端末位置情報とを表示装置２３から受信したか否かを判断する。受信した場合は、ステップＳ１５０２に進み、そうでない場合は、ステップＳ１５０１に戻る。
【０２０６】
（ステップＳ１５０２）受信ユーザ関連情報蓄積部１２５は、ステップＳ１５０１で受信したユーザ関連情報を、当該ユーザ関連情報に対応付いている端末位置情報と共に受信ユーザ関連情報格納部１２２に蓄積する。
【０２０７】
（ステップＳ１５０３）広告情報取得部１２７は、広告情報の取得のタイミングであるか否かを判断する。取得のタイミングである場合は、ステップＳ１５０３に進み、そうでない場合は、ステップＳ１５０１に戻る。
【０２０８】
（ステップＳ１５０４）広告情報取得部１２７は、受信ユーザ関連情報格納部１２２から１つのユーザ関連情報を取得する。
【０２０９】
（ステップＳ１５０５）広告情報取得部１２７は、ステップＳ１５０４で取得した１つのユーザ関連情報に対応する広告情報を取得する。この処理の詳細は、図５のフローチャートを用いて説明済みであるので、説明を省略する。
【０２１０】
（ステップＳ１５０６）送信先識別子取得部２２８は、ステップＳ１５０５で広告情報を取得したユーザ関連情報に対応付いている端末位置情報を用いて、送信先識別子を取得する。この処理の詳細は、図６のフローチャートを用いて説明済みであるので、説明を省略する。
【０２１１】
（ステップＳ１５０７）サーバ送信部１２９は、ステップＳ１５０５で取得した広告情報を、ステップＳ１５０６で取得した送信先識別子により識別される表示装置２３に送信する。そして、ステップＳ１５０１に戻る。
【０２１２】
なお、図１５のフローチャートにおいて、電源オフや処理終了の割り込みにより処理を終了してもよい。
【０２１３】
次に、表示装置２３の全体動作について、図１６のフローチャートを用いて説明する。
【０２１４】
（ステップＳ１６０１）送信部２３４は、受信部２３２が広告情報をサーバ装置２２から受信したか否かを判断する。受信した場合は、ステップＳ１６０２に進み、そうでない場合は、ステップＳ１６０１に戻る。
【０２１５】
（ステップＳ１６０２）出力部１３３は、ステップＳ１６０１で受信した広告情報を出力する。
【０２１６】
（ステップＳ１６０３）送信部２３４は、出力部１３３が出力している広告情報に位置特定情報が対応付いているか否かを判断する。対応付いている場合は、ステップＳ１６０４に進み、そうでない場合は、ステップＳ１６０１に戻る。
【０２１７】
（ステップＳ１６０４）送信部２３４は、出力部１３３が出力している広告情報に対応付いている位置特定情報を、端末装置２１に送信する。
【０２１８】
なお、図１６のフローチャートにおいて、電源オフや処理終了の割り込みにより処理を終了してもよい。
【０２１９】
（具体例）
広告表示システム２の動作の具体例は、以下の事項以外は実施の形態１の具体例と同様であるので、説明を省略する。
（１）端末装置２１がサーバ装置２２にユーザ関連情報と端末位置情報とを送信すること
（２）サーバ装置２２が端末装置２１からユーザ関連情報と端末位置情報とを受信すること
（３）表示装置２３が端末装置２１からユーザ関連情報を受信しないこと
（４）表示装置２３が表示装置識別子を保持していないこと
【０２２０】
以上、本実施の形態による広告表示システム２によれば、表示装置の近くにいるユーザが端末装置に入力した用語や、当該ユーザの属性に適合する適切な広告を、自動的に表示することができる。これにより、特定の場所や、特定の性別、特定の年齢層などにターゲットを絞った広告を、当該ターゲットに適合するユーザに効果的かつ適切に表示することができる。
【０２２１】
また、本実施の形態による広告表示システム２によれば、表示装置に表示されている広告に関連する場所までの経路案内を行うことができる。
【０２２２】
なお、上記実施の形態１において、広告表示システム１は、サーバ装置１２を備えていなくてもよい。この場合、表示装置１３は、端末装置１１から受信したユーザ関連情報に対応する広告情報を出力する。また、この場合の表示装置１３は、図１７のブロック図に示す表示装置３３である。図１７において、表示装置１３は、広告管理情報格納部３３１、受信ユーザ関連情報格納部３３２、受信部３３３、受信ユーザ関連情報蓄積部３３４、広告情報取得部３３５、出力部３３６、送信部３３７を備える。
【０２２３】
広告管理情報格納部３３１には、１以上の広告管理情報が格納される。なお、当該広告管理情報は、広告管理情報格納部１２１に格納される広告管理情報と同様であるので、説明を省略する。
【０２２４】
また、受信ユーザ関連情報格納部３３２には、１以上のユーザ関連情報が格納される。なお、当該ユーザ関連情報は、受信ユーザ関連情報格納部１２２に格納されるユーザ関連情報と同様であるので、説明を省略する。
【０２２５】
また、受信部３３３は、ユーザ関連情報を、端末装置１１から受信する。当該ユーザ関連情報には、通常、端末位置情報は対応付いていない。
【０２２６】
また、受信ユーザ関連情報蓄積部３３４は、受信部３３３が受信したユーザ関連情報を、受信ユーザ関連情報格納部３３２に蓄積する。なお、当該蓄積の方法や手順などは、受信ユーザ関連情報蓄積部１２５におけるユーザ関連情報の蓄積の方法や手順などと同様であるので、説明を省略する。
【０２２７】
また、広告情報取得部３３５は、受信ユーザ関連情報格納部３３２に格納されているユーザ関連情報に対応する広告情報を、広告管理情報格納部３３１から取得する。なお、当該取得の方法や手順などは、広告情報取得部１２７における広告情報の取得の方法や手順などと同様であるので、説明を省略する。
【０２２８】
また、出力部３３６は、広告情報取得部３３５が取得した広告情報を出力する。
【０２２９】
また、送信部３３７は、出力部３３６が出力している広告情報に対応付いている位置特定情報を、端末装置１１に送信する。当該端末装置１１は、通常、表示装置３３にユーザ関連情報を送信した端末装置１１であることが好適である。
【０２３０】
また、上記実施の形態２において、サーバ装置２２は、広告管理情報格納部１２１、受信ユーザ関連情報格納部１２２、受信ユーザ関連情報蓄積部１２５、広告情報取得部１２７を備えていなくてもよい。この場合のサーバ装置２２は、図１８のブロック図に示すサーバ装置４２である。また、この場合の表示装置２３は、図１８のブロック図に示す表示装置４３である。図１８において、サーバ装置４２は、送信先識別子格納部４２１、サーバ受信部４２２、送信先識別子取得部４２３、サーバ送信部４２４を備える。また、図１８において、表示装置４３は、広告管理情報格納部４３１、受信ユーザ関連情報格納部４３２、受信部４３３、受信ユーザ関連情報蓄積部４３４、広告情報取得部４３５、出力部４３６、送信部４３７を備える。
【０２３１】
送信先識別子格納部４２１には、表示装置位置情報が対応付いた１以上の送信先識別子が格納される。
【０２３２】
また、サーバ受信部４２２は、ユーザ関連情報と端末位置情報とを、端末装置２１から受信する。
【０２３３】
また、送信先識別子取得部４２３は、サーバ受信部２２４が受信した端末位置情報と、送信先識別子格納部１２３に格納されている1以上の各送信先識別子に対応付いている１以上の表示装置位置情報とを用いて、予め決められた条件を満たすほど当該端末位置情報が示す端末装置２１の位置の近くに存在する表示装置４３を識別する送信先識別子を、送信先識別子格納部１２３から取得する。なお、当該取得の方法や手順などは、送信先識別子取得部２２８における送信先識別子の取得の方法や手順などと同様であるので、説明を省略する。
【０２３４】
また、サーバ送信部４２４は、サーバ受信部４２２が受信したユーザ関連情報を、送信先識別子取得部４２３が取得した送信先識別子により識別される表示装置４３に送信する。
【０２３５】
また、ここで、広告管理情報格納部４３１、受信ユーザ関連情報格納部４３２、受信ユーザ関連情報蓄積部４３４、広告情報取得部４３５、出力部４３６、送信部４３７の各部における動作や処理などは、広告管理情報格納部３３１、受信ユーザ関連情報格納部３３２、受信ユーザ関連情報蓄積部３３４、広告情報取得部３３５、出力部３３６、送信部３３７における動作や処理などと同様であるので、説明を省略する。
【０２３６】
また、受信部４３３は、ユーザ関連情報を、サーバ装置４２から受信する。
【０２３７】
また、上記各実施の形態において、一の装置に存在する２以上の通信手段は、物理的に一の媒体で実現されてもよいことは言うまでもない。
【０２３８】
また、上記各実施の形態において、各処理または各機能は、単一の装置または単一のシステムによって集中処理されることによって実現されてもよいし、あるいは、複数の装置または複数のシステムによって分散処理されることによって実現されてもよい。
【０２３９】
また、上記各実施の形態において、各構成要素は専用のハードウェアにより構成されてもよいし、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【０２４０】
また、上記各実施の形態における広告表示システムを実現するソフトウェアは、例えば、以下のようなプログラムである。つまり、このプログラムは、広告を示す広告情報と、当該広告情報を取得するための条件である取得条件とを有する１以上の広告管理情報が格納される広告管理情報格納部にアクセス可能なコンピュータを、ユーザに関する情報であるユーザ関連情報を受信する受信部と、前記受信部が受信したユーザ関連情報が、前記１以上の広告管理情報が有する取得条件のいずれに合致するか否かを判断し、合致すると判断した取得条件に対応する広告情報を、前記広告管理情報格納部から取得する広告情報取得部と、前記広告情報取得部が取得した広告情報を出力する出力部として機能させるためのプログラムである。
【０２４１】
なお、上記プログラムにおいて、上記プログラムが実現する機能には、ハードウェアでしか実現できない機能は含まれない。
【０２４２】
また、上記プログラムは、サーバなどからダウンロードされることによって実行されてもよいし、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【０２４３】
また、上記プログラムを実行するコンピュータは、単数であってもよいし、複数であってもよい。つまり、集中処理を行ってもよいし、あるいは分散処理を行ってもよい。
【０２４４】
また、図１９は、前述のプログラムを実行して、前述の実施の形態の広告表示システム等を実現するコンピュータシステム９の概観図である。前述の実施の形態は、コンピュータハードウェア及びその上で実行されるコンピュータプログラムで実現され得る。
【０２４５】
図１９において、コンピュータシステム９は、ＣＤ−ＲＯＭドライブ９０１１、ＦＤドライブ９０１２を含むコンピュータ９０１と、キーボード９０２と、マウス９０３と、モニタ９０４とを備える。
【０２４６】
図２０は、コンピュータシステム９のブロック図である。図２０において、コンピュータ９０１は、ＣＤ−ＲＯＭドライブ９０１１、ＦＤドライブ９０１２に加えて、ＭＰＵ９０１３と、ブートアッププログラム等のプログラムを記憶するためのＲＯＭ９０１４と、ＭＰＵ９０１３に接続され、アプリケーションプログラムの命令を一時的に記憶するとともに一時記憶空間を提供するためのＲＡＭ９０１５と、アプリケーションプログラム、システムプログラム、およびデータを記憶するためのハードディスク９０１６と、ＣＤ−ＲＯＭドライブ９０１１、ＦＤドライブ９０１２、ＭＰＵ９０１３等を相互に接続するバス９０１７とを備える。ここでは図示しないが、コンピュータ９０１は、さらに、ＬＡＮへの接続を提供するネットワークカードを備えていてもよい。
【０２４７】
コンピュータシステム９に、前述の実施の形態の広告表示システム等の機能を実行させるプログラムは、ＣＤ−ＲＯＭ９１０１、またはＦＤ９１０２に記憶されて、ＣＤ−ＲＯＭドライブ９０１１またはＦＤドライブ９０１２に挿入され、さらにハードディスク９０１６に転送されてもよい。これに代えて、プログラムは、図示しないネットワークを介してコンピュータ９０１に送信され、ハードディスク９０１６に記憶されてもよい。プログラムは実行の際にＲＡＭ９０１５にロードされる。プログラムは、ＣＤ−ＲＯＭ９１０１、ＦＤ９１０２またはネットワークから直接、ロードされてもよい。
【０２４８】
プログラムは、コンピュータ９０１に、前述の実施の形態の広告表示システム等の機能を実行させるオペレーティングシステム（ＯＳ）、またはサードパーティープログラム等は、必ずしも含まなくてもよい。プログラムは、制御された態様で適切な機能（モジュール）を呼び出し、所望の結果が得られるようにする命令の部分のみを含んでいればよい。コンピュータシステム９がどのように動作するかは周知であり、詳細な説明は省略する。
【０２４９】
本発明は、以上の実施の形態に限定されることなく、種々の変更が可能であり、それらも本発明の範囲内に包含されるものであることは言うまでもない。
【産業上の利用可能性】
【０２５０】
以上のように、本発明にかかる広告表示システムは、表示装置の近くにいるユーザが端末装置に入力した用語や、当該ユーザの属性に適合する適切な広告を、自動的に表示することができるという効果を有し、いわゆるサイネージディスプレイに広告を送信するシステム等として有用である。
【符号の説明】
【０２５１】
１、２  広告表示システム
１１、２１  端末装置
１２、２２、４２  サーバ装置
１３、２３、３３、４３  表示装置
１１１  ユーザ関連情報格納部
１１２  端末位置情報取得部
１１３  端末受付部
１１４、２１４  端末送信部
１１５  端末受信部
１１６  経路探索部
１１７  端末出力部
１２１、３３１、４３１  広告管理情報格納部
１２２、３３２、４３２  受信ユーザ関連情報格納部
１２３、４２１  送信先識別子格納部
１２４、２２４、４２２  サーバ受信部
１２５、３３４、４３４  受信ユーザ関連情報蓄積部
１２６  送信先識別子蓄積部
１２７、３３５、４３５  広告情報取得部
１２８、２２８、４２３  送信先識別子取得部
１２９、４２４  サーバ送信部
１３１  表示装置識別子格納部
１３２、２３２、３３３、４３３  受信部
１３３、３３６、４３６  出力部
１３４、２３４、３３７、４３７  送信部
【図１】
2014153679.tif 000003
【図２】
2014153679.tif 000004
【図３】
2014153679.tif 000005
【図４】
2014153679.tif 000006
【図５】
2014153679.tif 000007
【図６】
2014153679.tif 000008
【図７】
2014153679.tif 000009
【図８】
2014153679.tif 000010
【図９】
2014153679.tif 000011
【図１０】
2014153679.tif 000012
【図１１】
2014153679.tif 000013
【図１２】
2014153679.tif 000014
【図１３】
2014153679.tif 000015
【図１４】
2014153679.tif 000016
【図１５】
2014153679.tif 000017
【図１６】
2014153679.tif 000018
【図１７】
2014153679.tif 000019
【図１８】
2014153679.tif 000020
【図１９】
2014153679.tif 000021
【図２０】
2014153679.tif 000022